(57)【要約】【課題】音響部材の設置を容易化する。【解決手段】スピーカー台１００は、スピーカーＳが載置される台座１０と、台座１０に固定され、調音パネルＰを支持する支持部１１とを具備する。支持部１１は、複数の管体が並列した調音パネルＰの管体ｐの開口端ｐEに挿入される挿入部１１Ｂを有し、台座１０に対して距離ｄ1を空けて調音パネルＰを支持することにより、スピーカーＳの背面Ｓｂに間隔を空けて対向するように調音パネルＰを支持する。【選択図】図２
2015149692.tif 000002
【特許請求の範囲】
【請求項１】
スピーカーが載置される台座と、
前記台座に固定され、前記スピーカーの背面に間隔を空けて対向するように音場制御用の音響部材を支持する支持部と
を具備するスピーカー台。
【請求項２】
前記音響部材は、軸方向の相異なる位置に開口が形成された複数の管体を平面状に並列した調音パネルであり、
前記支持部は、前記調音パネルのうち前記各管体の開口が位置する調音面が前記スピーカーの背面に間隔を空けて対向するように当該調音パネルを支持する
請求項１のスピーカー台。
【請求項３】
前記支持部は、前記複数の管体の少なくともひとつの開口端に挿入される挿入部を有する
請求項２のスピーカー台。
【請求項４】
前記挿入部は、前記管体に挿入された状態で当該管体における開口に通じる空間に連通する管状である
請求項３のスピーカー台。
【請求項５】
前記台座は、前記スピーカーが載置される載置面から突起して当該スピーカーの前面に当接するガイドを備える
請求項１から請求項４の何れかのスピーカー台。
【発明の詳細な説明】
【技術分野】
【０００１】
本発明は、スピーカーを載置するためのスピーカー台に関する。
【背景技術】
【０００２】
スピーカーから放射される音響で形成される音場を制御する音場制御用の音響部材が従来から提案されている。例えば、特許文献１には、複数の管体が平面上に並列された調音パネルが開示されている。この調音パネルでは、複数の管体における軸方向の相異なる位置に開口が形成され、管体における開口の付近にて音響を散乱および吸音する効果（すなわち、調音効果）を実現する。また、音響を吸収する吸音板や音響を反射する反射板も音場制御用の音響部材として使用される。
【先行技術文献】
【特許文献】
【０００３】
【特許文献１】特開２０１０−８４５０９号公報
【発明の概要】
【発明が解決しようとする課題】
【０００４】
ところで、以上に例示した音響部材は、スピーカーが配置される音響空間の壁面に例えばボルト等で固定される。したがって、設置が面倒であるうえに設置面を傷つけてしまうなどの問題も生じる。以上の事情を考慮して、本発明は、音響部材の設置を容易化することを目的とする。
【課題を解決するための手段】
【０００５】
以上の課題を解決するために、本発明のスピーカー台は、スピーカーが載置される台座と、台座に固定され、スピーカーの背面に間隔を空けて対向するように音場制御用の音響部材を支持する支持部とを具備する。以上の構成では、スピーカーが設置される台座に、音響部材を支持する支持部が固定されるから、音響部材を容易に設置可能である。また、スピーカーの背面に音響部材を密着させる構成では、スピーカーの前面と音響部材との距離がスピーカーの奥行方向の寸法に制限されてしまい、スピーカーの前面と音響部材とを最適な距離に設置できない可能性がある。本発明の構成では、スピーカーの背面に間隔を空けて対向するように支持部が音響部材を支持するから、スピーカーの寸法に関わらず、スピーカーの前面と音響部材とを最適な距離に設置することが可能である。また、スピーカーの背面に音響部材を密着させる構成では、スピーカーから放射される音響は音響部材のうちスピーカーの背面と重なる領域には到達しない。これに対して、本発明の構成ではスピーカーから放射される音響がスピーカーの背面側に回折して音響部材に到達するから、音響部材のうち音響が到達する領域の面積が増大し、ひいては充分な音場制御が実現されるという利点がある。
【０００６】
本発明の好適な態様において、音響部材は、軸方向の相異なる位置に開口が形成された複数の管体を平面状に並列した調音パネルであり、支持部は、調音パネルのうち各管体の開口が位置する調音面がスピーカーの背面に間隔を空けて対向するように当該調音パネルを支持する。調音パネルは、複数の管体の各々において、開口から管体内に到達した音響を開口の両側の管部にて共鳴させることで、開口の付近において散乱および吸音する効果を実現するものである。以上の構成では、上記効果を実現する調音パネルをスピーカーの背面に容易に設置可能である。また、以上の構成では、各管体の開口がスピーカーの背面によって塞がれないから、調音パネルが有効に機能するという利点もある。
【０００７】
本発明の好適な態様において、支持部は、複数の管体の少なくともひとつの開口端に挿入される挿入部を有する。以上の構成によれば、調音パネルの管体に挿入部を挿入するだけで調音パネルを設置可能であるから、調音パネルの設置が容易となる。
【０００８】
本発明の好適な態様において、挿入部は、管体に挿入された状態で当該管体における開口に通じる空間に連通する管状である。挿入部が管状ではなく中実である構成においては、中実の挿入部が管体に挿入されることで、開口の下方側の距離が短縮される。したがって、開口の下方側の区間における共鳴周波数が変化し、音響部材を単体で利用する場合（挿入部を挿入しない場合）と比較して調音特性が変化する。これに対して、挿入部を管状とした構成によれば、挿入部が管体に挿入された状態においても、開口の下方側の距離が変化しない。したがって、本発明の構成によれば、挿入部が中実である構成と比較して、挿入部に起因した調音特性の変化を抑制できるという利点がある。
【０００９】
本発明の好適な態様において、台座は、スピーカーが載置される載置面から突起して当該スピーカーの前面に当接するガイドを備える。以上の構成によれば、台座と音響部材との距離が支持部によって規定され、さらにガイドを追加する構成によりスピーカーの前面と音響部材との距離も定まる。したがって、スピーカーの前面と音響部材とを適切な距離に容易に維持することが可能である。
【００１０】
本発明の好適な態様において、支持部は、台座と音響部材との距離を調整可能なように、音響部材を支持する。以上の構成によれば、台座と音響部材との距離を調整可能であるから、スピーカーの前面と音響部材との距離を最適距離に設定することが可能となる。「最適距離」としては、当該スピーカー台の設計者等によって予め指定された距離やスピーカー台の利用者が経験的に定めた距離が採用され得る。
【００１１】
本発明の好適な態様において、支持部は、台座に対する音響部材の姿勢を調整可能なように、音響部材を支持する。スピーカーの前面（音響の放射面）に対する音響部材の姿勢に応じて、スピーカーから放射されて音響部材に到達し反射する音響の方向は変化する。すなわち、スピーカーの前面に対する音響部材の姿勢に応じて異なる調音効果が得られる。以上の構成では、支持部は、台座に対する音響部材の姿勢を調整可能なように音響部材を支持するから、音響部材による調音効果を容易に調整できるという利点がある。
【００１２】
本発明の好適な態様において、支持部は、台座の側面部のうち、台座が設置される設置面から離間した位置に設置される。以上の構成によれば、音響部材が床面から離間した位置に設置されるから、支持部や音響部材の下端部と設置面との間に空間が形成される。したがって、音響部材の下端辺と設置面とが密着する構成と比較して、支持部や音響部材の下端部と設置面との間の空間にケーブルを引き回すことができるという利点がある。また、ケーブルを配設するための空間を別途設ける必要がないので省スペース化が実現される。
【００１３】
なお、本発明に係るスピーカー台に設置される音響部材は、スピーカーから放射される音響で形成される音場の制御（調音，吸音，反射）に利用される部材（音場制御用の音響部材）として包括的に表現され、音響部材の具体的な形態（形状や構造）は任意である。調音パネルのほか、音響を吸収する吸音板（例えばグラスウールパネル等の多孔質平板）や音響を反射する反射板等の音響部材をスピーカー台に設置することも可能である。また、支持部の構成は、音響部材の形態に応じて適宜変更され得る。
【図面の簡単な説明】
【００１４】
【図１】本発明の第１実施形態に係るスピーカー台にスピーカーおよび調音パネルが設置された様子を示す斜視図である。
【図２】図１のII−II線の断面図である。
【図３】スピーカー台における台座と支持部との接続部分を示す斜視図である。
【図４】スピーカー台と調音パネルの接続関係の説明図である。
【図５】本発明の第２実施形態に係るスピーカー台の挿入部の説明図である。
【図６】本発明の第３実施形態に係るスピーカー台にスピーカーおよび調音パネルが設置された様子を示す斜視図である。
【図７】図６のＶII−ＶII線の断面図である。
【図８】第４実施形態に係るスピーカー台の断面図である。
【図９】本発明の第５実施形態に係るスピーカー台の台座と支持部との接続部分を示す斜視図である。
【図１０】本発明の第５実施形態に係るスピーカー台の断面図である。
【図１１】本発明の第６実施形態に係るスピーカー台の平面図である。
【図１２】変形例に係るスピーカー台に調音パネルが設置された様子を示す斜視図である。
【図１３】変形例に係るスピーカー台の斜視図である。
【発明を実施するための形態】
【００１５】
＜第１実施形態＞
図１は、本発明の第１実施形態に係るスピーカー台１００にスピーカーＳおよび調音パネルＰが設置された様子を示す斜視図であり、図２は、図１のII−II線の断面図である。
【００１６】
第１実施形態に係るスピーカー台１００は、スピーカーＳが載置される台座１０と、台座１０に固定されて調音パネルＰを支持する支持部１１とを具備する構造体である。台座１０は、載置面１０Ｔを含む略直方体状の構造体である。図１および図２に示されるように、台座１０の載置面１０ＴにスピーカーＳが載置された状態において、スピーカーＳの背面Ｓｂ側（音響が放射される放射面とは反対側の面）に調音パネルＰが設置される。図２に示されるように、支持部１１は、台座１０のうち、スピーカーＳの背面Ｓｂ側の側面部１０Ｓとの間で間隔ｄ1を空けて調音パネルＰを支持することにより、スピーカーＳの背面Ｓｂに対して間隔ｄ2（ｄ2≧ｄ1）を空けて対向するように調音パネルＰを支持する。図１に図示される通り、載置面１０Ｔを包含するＸ-Ｚ平面と載置面１０Ｔに垂直なＹ方向とを想定する。Ｙ方向は鉛直方向の上方に相当する。
【００１７】
スピーカーＳは、筐体（エンクロージャ）２０とスピーカーユニット２１Ａおよび２１Ｂとを具備し、外部装置（図示略）から供給される音響信号に応じた音響を放射する音響装置（例えばモニタースピーカー）である。スピーカーユニット２１Ａおよび２１Ｂは、相異なる周波数帯域の音響を放射する放音体であり、Ｙ方向（鉛直方向）に沿って配列する。スピーカーＳの前面（放射面）Ｓｆから放射された音響はスピーカーＳの背面Ｓｂ側に回折して調音パネルＰに到達する。
【００１８】
図１および図２から理解されるように、調音パネルＰは、複数の管体ｐを平面状に並列した構造体である。各管体ｐには、軸方向（Ｙ軸方向）の相異なる位置に開口ｒが形成されており、調音パネルＰは、各管体ｐの開口ｒが位置する側の面（以下「調音面」という）Ｐｓに到達した音響を、各管体ｐの開口ｒの両側の管部にて相異なる２種類の周波数で共鳴させることで、開口ｒ付近にて散乱および吸音する効果（調音効果）を実現する。スピーカー台１００の支持部１１は、調音パネルＰのうち調音面Ｐｓがスピーカーの背面Ｓｂに対向するように調音パネルＰを支持する。調音パネルＰがこのように支持されることで、スピーカーＳの前面Ｓｆから放射された音響は、スピーカーＳの背面Ｓｂ側に回折して調音パネルＰの調音面Ｐｓに到達し、充分な調音効果が奏される。
【００１９】
図３は台座１０と支持部１１との接続部分を拡大した斜視図であり、図４はスピーカー台１００と調音パネルＰとの接続関係の説明図である。図３および図４から理解されるように、台座１０の側面部１０Ｓには２個の支持部１１が形成される。各支持部１１は、側面部１０Ｓから水平方向（載置面１０Ｔに平行なＸ方向）に突出する基礎部１１Ａと、基礎部１１Ａの端部から鉛直方向（Ｙ方向）に伸びる中実柱状の挿入部１１Ｂとを有し、各挿入部１１Ｂが調音パネルＰのうち２本の管体（図４の例示では左方から第３番目および第７番目の各管体ｐ）の下方の各開口端ｐEにそれぞれ挿入されることにより調音パネルＰを支持する。この構成によれば、調音パネルＰの管体ｐに挿入部１１Ｂを挿入するだけで調音パネルＰが設置可能であるから、調音パネルＰの着脱が容易となる。
【００２０】
以上の構成では、スピーカーＳが載置される台座１０に固定された支持部１１に調音パネルＰが支持される。したがって、スピーカーＳが配置される音響空間の壁面に調音パネルＰを設置する場合と比較して調音パネルＰを容易に設置可能である。例えば、調音パネルＰを音響空間の壁面等に固定する場合の問題（例えば、壁面の損傷）も回避される。スピーカーＳと調音パネルＰとの位置関係を維持しながらスピーカーＳおよび調音パネルＰを移動できるという利点もある。
【００２１】
また、本実施形態に係るスピーカー台１００では、調音パネルＰはスピーカーＳの背面Ｓｂに間隔を空けて設置される。スピーカーＳの背面Ｓｂに調音パネルＰを密着させる構成（以下「対比例」という）では、スピーカーＳの前面と調音パネルＰとの距離がスピーカーＳの奥行方向の寸法に制限され、スピーカーＳの前面Ｓｆと調音パネルＰとを最適な距離に設置できない可能性がある。第１実施形態では、スピーカーＳの背面Ｓｂに間隔を空けて対向するように支持部１１が調音パネルＰを支持するから、スピーカーＳの寸法に関わらず、スピーカーＳの前面Ｓｆと調音パネルＰの調音面Ｐｓとを最適な距離に調整することが可能である。また、対比例では、スピーカーＳから放射される音響が、調音パネルＰのうちスピーカーＳの背面Ｓｂと重なる領域に到達しない。これに対して本実施形態においては、調音パネルＰがスピーカーＳの背面Ｓｂに間隔を空けて設置されるから、スピーカーＳから放射される音響は調音パネルＰの調音面Ｐｓの全面に到達する。したがって、調音パネルＰの調音面Ｐｓのうちスピーカーからの音響が到達する領域の面積が対比例と比較して増大し、ひいては充分な調音効果が実現されるという利点がある。また、各管体ｐにおける開口ｒがｓスピーカーＳの背面Ｓｂによって塞がれないから、調音パネルＰが有効に機能するという利点もある。
【００２２】
＜第２実施形態＞
次に、本発明の第２実施形態について説明する。なお、以下に例示する各形態において作用や機能が第１実施形態と同様である要素については、第１実施形態の説明で参照した符号を流用して各々の詳細な説明を適宜に省略する。
【００２３】
図５（Ｂ）は、本発明の第２実施形態に係るスピーカー台１００の挿入部１１Ｂの説明図であり、図５（Ａ）は、第１実施形態に係る挿入部１１Ｂの構成を対比例として示す図である。図５（Ａ）に示すように、第１実施形態では挿入部１１Ｂが中実である。これに対し、図５（Ｂ）に示すように、第２実施形態では、挿入部１１Ｂは管状である。したがって、挿入部１１Ｂの管内は、挿入部１１Ｂが管体ｐに挿入された状態で、管体ｐにおける開口ｒに通じる空間Ｖに連通する。
【００２４】
第２実施形態においても第１実施形態と同様の作用および効果が奏される。また、第２実施形態では、挿入部１１Ｂが管状に形成されるから、以下に詳述する通り、調音パネルＰの調音効果に対する挿入部１１Ｂの影響が低減されるという利点がある。
【００２５】
上述したように、調音パネルＰの各管体ｐでは開口ｒの両側の管部において音響を２つの異なる周波数で共鳴させる（すなわち、開口ｒを挟んだ両側が管共鳴器として機能する）が、共鳴周波数は開口ｒの両側の管部における距離（図５（Ａ）の例では距離Ｌ1およびＬ2、図５（Ｂ）の例では距離Ｌ3およびＬ4）に依存する。
【００２６】
図５（Ａ）に示す第１実施形態の構成では、中実の挿入部１１Ｂが管体ｐに挿入されることで、開口ｒの下方側の距離がＬ0からＬ2に短縮される。したがって、管体ｐのうち開口ｒの下方側の区間における共鳴周波数が高くなり、調音パネルＰを単体で利用する場合（挿入部１１Ｂを挿入しない場合）と比較して調音特性が変化する。これに対して、図５（Ｂ）に例示した第２実施形態では、挿入部１１Ｂの管内が管体ｐの内部の空間Ｖに連通するから、管体ｐのうち開口ｒの下方側の区間の距離Ｌ4は、挿入部１１Ｂの挿入の有無によっては変化しない（Ｌ0＝Ｌ4）。すなわち、挿入部１１Ｂが共鳴管の一部として機能するため、管体ｐのうち開口ｒの下方側の区間における共鳴周波数は高くならず、低い周波数での共鳴管としての機能が維持される。したがって、図５（Ｂ）の構成では、対比例と比較して、挿入部１１Ｂに起因した調音特性の変化を抑制できるという利点がある。
【００２７】
＜第３実施形態＞
図６は、本発明の第３実施形態に係るスピーカー台１００にスピーカーＳおよび調音パネルＰが設置された様子を示す斜視図であり、図７は、図６のVII−VII線の断面図である。図６および図７に示されるように、第３実施形態に係るスピーカー台１００は、台座１０が、載置面１０Ｔから突起してスピーカーＳの前面Ｓｆに当接するガイドＧを備える点で第１実施形態とは相違する。図７に例示されたガイドＧは、Ｘ方向に延在する帯状の突起部である。以上の構成では、スピーカーＳの前面Ｓｆの下方端がガイドＧに当接した状態でスピーカーＳが台座１０に載置されると、台座１０におけるスピーカーＳの設置位置（Ｚ方向における位置）が確定する。
【００２８】
本実施形態においても第１実施形態と同様の作用および効果が奏される。また、台座１０と調音パネルＰとの距離ｄ1が支持部１１によって規定され、さらにガイドＧを追加する構成によりスピーカーＳの前面Ｓｆと調音パネルＰとの距離ｄ3も定まる。したがって、スピーカーＳの前面Ｓｆと調音パネルＰの調音面Ｐｓとを適切な距離に容易に維持することが可能である。
【００２９】
＜第４実施形態＞
図８は、本発明の第４実施形態に係るスピーカー台１００の断面図（図２に対応する断面図）である。図８から理解されるように、第４実施形態に係るスピーカー台１００は、支持部１１が、台座１０と調音パネルＰとの距離ｄ1を調整可能なように調音パネルＰを支持する点で第１実施形態と相違する。具体的には、図８に示されるように、本実施形態に係る台座１０のうち背面側の側面部１０Ｓには、各支持部１１の基礎部１１Ａが挿入される挿入口（スライドガイド）ＳＧが形成される。挿入口ＳＧは、基礎部１１Ａの上面および下面に接触する平坦な接触面を有する開口である。挿入口ＳＧに対する基礎部１１Ａの挿入の深さは調整可能である。すなわち、基礎部１１Ａは、スピーカーＳの前後方向（すなわち、Ｚ方向）にスライド可能に支持される。
【００３０】
本実施形態においても第１実施形態と同様の作用および効果が奏される。また、第４実施形態によれば、台座１０の背面側の側面部１０Ｓと調音パネルＰとの距離ｄ1、ひいては、スピーカーＳの前面Ｓｆと調音パネルＰの調音面Ｐｓとの距離を最適距離に設定することが可能となる。「最適距離」としては、スピーカーＳや調音パネルＰの調音特性やスピーカーＳが設置される音響空間の広さ等に応じて、スピーカー台１００の設計者等によって予め指定された距離や、スピーカー台１００の利用者が経験的に定めた距離などが採用され得る。
【００３１】
以上においては、支持部１１の基礎部１１Ａがスライド可能な構成を例示したが、基礎部１１Ａの長さが異なる複数種類の支持部１１を用意しておき、所望の長さの基礎部１１Ａを有する支持部１１を選択的に挿入口ＳＧに挿入し、基礎部１１Ａの先端を挿入口ＳＧの最奥部に当接させた構成も好適である。この構成によれば、基礎部１１Ａの先端が挿入口ＳＧの最奥部に当接するから、挿入口ＳＧに対する基礎部１１Ａの挿入の深さに応じて距離ｄ1を調整する構成と比較して、台座１０の側面部１０Ｓと支持部１１との距離ｄ1を所望の距離に維持し易いという利点がある。
【００３２】
＜第５実施形態＞
図９は、本発明の第５実施形態に係るスピーカー台１００の台座１０と支持部１１との接続部分を示す斜視図であり、図１０は、スピーカー台１００の断面図（図２に対応する断面図）である。
【００３３】
図９および図１０に示されるように、第５実施形態におけるスピーカー台１００は、支持部１１が、台座１０の側面部１０Ｓのうち、台座１０が設置される設置面（例えば音響空間の床面）Ｆから離間した位置に設置される点で第１実施形態と相違する。図示されるように、支持部１１の基礎部１１Ａは、台座１０の設置面Ｆから高さＨだけＹ方向に離間した位置に設置される。
【００３４】
本実施形態においても第１実施形態と同様の作用および効果が奏される。また、スピーカー台１００の周辺には、スピーカーＳのケーブルをはじめ、その他の周辺機器のケーブルが多数配設されることが想定される。第５実施形態によれば、設置面Ｆから離間した位置に支持部１１（基礎部１１Ａ）が設置されるから、調音パネルＰの下端辺と設置面Ｆとが密着する構成（第１実施形態）と比較して、基礎部１１Ａや調音パネルＰの下端部と設置面Ｆとの間の空間にケーブルを引き回すことができるという利点がある。また、調音パネルＰの下端辺と設置面Ｆとの間に空間がない場合には、調音パネルＰの脇などにケーブルを配設するスペースを余分に確保する必要がある。これに対し、本実施形態の構成によれば、ケーブルが調音パネルＰの下方の空間に配置されるから、省スペース化が実現されるという利点がある。
【００３５】
以上においては、台座１０の側面部１０Ｓのうち、設置面Ｆから離間した位置に支持部１１を設置する構成を示したが、以上の構成に代えて（またはこの構成とともに）、調音パネルＰの一部（例えば下端部の一部）に切欠を形成した構造を採用することも可能である。以上の構成では、スピーカーＳのケーブルを調音パネルＰの前面側から背面側に（または逆方向に）切欠を介して容易に引き回すことが可能である。
【００３６】
＜第６実施形態＞
図１１は、第６実施形態に係るスピーカー台１００の平面図である。図１１に示されるように、本実施形態のスピーカー台１００は、支持部１１が、台座１０に対する調音パネルＰの角度θを調整可能なように調音パネルＰを支持する点で第１実施形態と相違する。
【００３７】
具体的には、本実施形態のスピーカー台１００の各支持部１１は、相互に別体に形成されて係合または分離される基礎部１１Ａおよび挿入部１１Ｂを有する。基礎部１１Ａは、第１実施形態と同様に台座１０の背面側の側面部１０Ｓに固定され、挿入部１１Ｂは、基礎部１１Ａの先端部に回転可能に係合する。以上の構成において、図１１に例示される通り、調音パネルＰに挿入された２個の支持部１１のうち一方の支持部１１における挿入部１１Ｂが基礎部１１Ａから取り外され、他方の支持部１１の挿入部１１Ｂを回転軸として調音パネルＰが回転されることで、台座１０（ひいてはスピーカーＳの前面Ｓｆ）に対する調音パネルＰの角度θを調整可能である。スピーカーＳの前面Ｓｆに対する調音パネルＰの角度θが変わると、スピーカーＳから放射されて調音パネルＰに到達し反射する音響の方向が変化する。すなわち、スピーカーＳの前面Ｓｆに対する調音パネルＰの姿勢（角度）に応じて異なる調音効果が得られる。
【００３８】
第６実施形態においても第１実施形態と同様の効果が実現される。また、第６実施形態では、台座１０に対する調音パネルＰの角度θを調整可能なように支持部１１が調音パネルＰを支持するから、調音パネルＰによる調音効果を容易に調整できるという利点がある。
【００３９】
また、図１１においては、調音パネルＰの角度θを変化させる構成を例示したが、以上の構成に代えて（またはこの構成とともに）、図１２に例示されように、スピーカーＳが載置される回転盤１０Ｒを台座１０の載置面１０Ｔに設置した構成も採用され得る。回転盤１０Ｒは、スピーカーＳが上面に載置された状態で載置面１０Ｔに平行な面内で回転可能である。したがって、回転盤１０Ｒを適宜に回転させることで、調音パネルＰに対するスピーカーＳの角度（前面Ｓｆの角度）を調整することが可能である。図１２の構成によれば、スピーカーＳを回転するだけでスピーカーＳの前面Ｓｆと調音パネルＰと角度を変更できるから、調音パネルＰを回転させる図１１の構成と比較して省スペースであるとともに、角度θの調整が容易であるという利点がある。
【００４０】
＜変形例＞
以上の各形態は多様に変形され得る。具体的な変形の態様を以下に例示する。以下の例示から任意に選択された２以上の態様は適宜に併合され得る。
【００４１】
（１）第１実施形態から第６実施形態を適宜に組合せた構成も採用される。例えば、支持部１１がスライド可能な構成（図８）や支持部１１が設置面Ｆから離間した位置に設置される構成（図９および図１０）、台座１０と調音パネルＰとの角度を調整可能とする構成（図１１および図１２）を第２実施形態や第３実施形態に採用してもよい。
【００４２】
（２）前述の各形態では、調音効果を有する調音パネルＰを取り付け可能なスピーカー台１００を例示したが、スピーカー台１００に設置される音響部材は調音パネルＰに限定されない。例えば、音響を吸収する吸音板（例えばグラスウールパネル等の多孔質平板）や音響を反射する反射板等の音響部材をスピーカー台１００に設置することも可能である。以上の例示から理解される通り、スピーカー台１００に設置される音響部材は、スピーカーＳから放射される音響で形成される音場の制御（調音，吸音，反射）に利用される部材（音場制御用の音響部材）として包括的に表現され、音響部材の具体的な形態（形状や構造）は任意である。支持部１１の構成は、音響部材の形態に応じて適宜変更され得る。例えば、反射板や吸音板を音響部材として支持する構成では、音響部材を両面側から挟み込む構造の支持部１１が好適に採用される。
【００４３】
（３）上記各実施形態および各変形例で例示した構成は、スタンド状のスピーカー台１００としても構成され得る。図１３は、図１に示すスピーカー台１００をスタンド状のスピーカー台１００として構成した例を示す。図１３のスピーカー台１００は、台座１０の底面部から鉛直方向下方に延在して台座１０を支持する支柱３０と、支柱３０のうち台座１０とは反対側の端部に固定された底板４０とを備える。図示されるように、台座１０にはスピーカーＳが載置され、台座１０の背面側の側面１０Ｓには調音パネルＰを支持する支持部１１（図１３では不図示）が固定される。図１に例示した構成では、受聴位置に対応する高さにスピーカーＳを位置させるために例えば机上などにスピーカー台１００を設置する。これに対して、図１３に示す構成によれば、支柱３０の高さを適宜に設定することでスピーカーＳが設置される高さが受聴位置に予め設定可能となり、図１に示す構成と比較として、スピーカーＳおよび音響部材の設置がさらに容易化される。
【符号の説明】
【００４４】
１００……スピーカー台、１０……台座、１０Ｔ……載置面、１０Ｓ……側面部、１１……支持部、１１Ａ……基礎部、１１Ｂ……挿入部、２０……筐体、２１Ａ，２１Ｂ……スピーカーユニット、３０……支柱、４０……底板、Ｆ……設置面、Ｇ……ガイド、Ｓ……スピーカー、Ｓｆ……スピーカーの前面、Ｓｂ……スピーカーの背面、Ｐ……調音パネル，Ｐｓ……調音面、Ｖ……空間、ｐ……管体、ｐE……開口端、ｒ……開口。
【図１】
2015149692.tif 000003
【図２】
2015149692.tif 000004
【図３】
2015149692.tif 000005
【図４】
2015149692.tif 000006
【図５】
2015149692.tif 000007
【図６】
2015149692.tif 000008
【図７】
2015149692.tif 000009
【図８】
2015149692.tif 000010
【図９】
2015149692.tif 000011
【図１０】
2015149692.tif 000012
【図１１】
2015149692.tif 000013
【図１２】
2015149692.tif 000014
【図１３】
2015149692.tif 000015